(57)【要約】【課題】  移動局の電源ＯＮ、かつ、ローミングを要する状況で、容易かつ確実にローミングリストを更新し、正常にローミングサービスを受けることを目的とする。【解決手段】  本発明の移動局１１０は、基地局１２０と無線通信を確立する無線通信部２２４と、特定の移動体通信網以外の移動体通信網へのローミングに際して参照されるローミングリストを記憶する記憶部２３０と、ローミングリストを用いて自局が無線通信可能な移動体通信網を選択する通信網選択部２３２と、当該移動局を起動したときの位置登録の際、無線通信部を通じてローミングリストの更新要求を行い、ローミングリストが変更されていれば、自局のローミングリストを更新する更新部２３４と、を備えることを特徴とする。【選択図】    図２
2010011020.tif 000002
【特許請求の範囲】
【請求項１】
基地局と無線通信を確立する無線通信部と、
特定の移動体通信網以外の移動体通信網へのローミングに際して参照されるローミングリストを記憶する記憶部と、
前記ローミングリストを用いて自局が無線通信可能な移動体通信網を選択する通信網選択部と、
当該移動局を起動した際、前記無線通信部を通じてローミングリストの更新要求を行い、ローミングリストが変更されていれば、自局のローミングリストを更新する更新部と、
を備えることを特徴とする移動局。
【請求項２】
前記更新部は、当該移動局の起動時における位置登録の際に自局のローミングリストを更新することを特徴とする請求項１に記載の移動局。
【請求項３】
基地局と無線通信を確立する無線通信部と、
特定の移動体通信網以外の移動体通信網へのローミングに際して参照されるローミングリストを記憶する記憶部と、
前記ローミングリストを用いて自局が無線通信可能な移動体通信網を選択する通信網選択部と、
自局の位置を検出する位置検出部と、
前記自局の位置が予め定められた所定領域内にあることが検出された場合、前記無線通信部を通じてローミングリストの更新要求を行い、ローミングリストが変更されていれば、自局のローミングリストを更新する更新部と、
を備えることを特徴とする移動局。
【請求項４】
基地局と無線通信を確立する無線通信部と、
特定の移動体通信網以外の移動体通信網へのローミングに際して参照されるローミングリストを記憶する記憶部と、
前記ローミングリストを用いて自局が無線通信可能な移動体通信網を選択する通信網選択部と、
当該移動体通信網以外の無線通信からのローミングリスト更新指令に応じ、前記無線通信部を通じてローミングリストを更新する更新部と、
を備えることを特徴とする移動局。
【請求項５】
基地局と無線通信を確立する無線通信部と、
特定の移動体通信網以外の移動体通信網へのローミングに際して参照されるローミングリストを記憶する記憶部と、
前記ローミングリストを用いて自局が無線通信可能な移動体通信網を選択する通信網選択部と、
ユーザによるオフラインモード変更入力に応じて、前記無線通信部を通じてローミングリストの更新要求を行い、ローミングリストが変更されていれば、自局のローミングリストを更新する更新部と、
を備えることを特徴とする移動局。
【請求項６】
特定の移動体通信網以外の移動体通信網へのローミングを要する地域への通過点において、基地局と無線通信を確立する無線通信部を通じて、該基地局に該ローミングに際して参照されるローミングリストの更新要求を行い、
前記ローミングリストが変更されていれば、自局のローミングリストを更新し、
前記更新されたローミングリストを記憶し、
ローミングの際、前記記憶されたローミングリストを用いて自局が無線通信可能な移動体通信網を選択することを特徴とする無線通信方法。
【発明の詳細な説明】
【技術分野】
【０００１】
本発明は、移動体通信網間のローミングが可能な移動局および無線通信方法に関する。
【背景技術】
【０００２】
近年、携帯電話やＰＨＳ(Personal Handy phone System)等に代表される移動局が普及し、場所や時間を問わず通話や情報入手が可能となった。併せて、移動局の利用可能地域も拡大の一途を辿り、国内外いずれの場所でも１つの移動局で通話または通信が可能となってきた。
【０００３】
国内外いずれにおいても地域（サービスエリア）ごとに通信事業者が存在し、その通信事業者によって移動体通信網が形成される。かかる移動体通信網間は、通信方式等を切り換えることで自己が契約する通信事業者同様のサービスを受けることができる所謂ローミングを通じて無線通信を継続することが可能となる。このようなローミングを実行する際には、各地域における移動体通信網を特定し、その移動体通信網と無線通信を確立するための情報をリスト化したローミングリストが参照される。
【０００４】
ユーザは、基地局からエリア内の多数の移動局に同情報を一斉配信（マルチキャスト）するＢＣＭＣＳ（BroadCast/MultiCast Services）を通じて、またはユーザ自身の手動操作によって上述したローミングリストを取得できる。また、電子メール等を通じてローミングリストを自局に取り込み、電源を切断することなく更新されたローミングリストを読み出し、移動通信システムを捕捉することで、ローミングリストの更新が直ちに反映される技術が知られている（例えば、特許文献１）。
【特許文献１】特開２００５−３３３７８号公報
【発明の開示】
【発明が解決しようとする課題】
【０００５】
上述したようにＢＣＭＣＳ等を通じて全ての移動局に対してローミングリストを自動的に更新する方式では、ユーザが意図的に移動局の電源をＯＦＦしていたり、販売前の在庫として電源ＯＦＦが維持されていたりして、その更新タイミングでローミングリストを取得できない場合がある。ＢＣＭＣＳは通信事業者側から移動局への一方的な配信なので、通信事業者側では移動局の更新状況を把握できず、移動局は自体に更新漏れがあったことに気付かないまま移動体通信網を跨ることになり、正常なローミングを遂行できない等の問題が生じていた。
【０００６】
同様にローミングの更新をユーザ自身の手動操作に委ねた場合、更新を忘れてしまうばかりでなく、ローミングリスト自体の存在を認識していないユーザにおいては、その更新が一度も行われず、やはりローミングが正常に行われないこととなる。
【０００７】
このような問題に対して、ＢＣＭＣＳによる自動更新の頻度を著しく高め、更新漏れが生じる確率を低減させることも可能ではあるが、正常にローミングリストが更新されたユーザに対しても無駄なＢＣＭＣＳによるローミングリストの更新が繰り返されることになり、リソースやアクセス数の無駄な消費を招いてしまう。
【０００８】
本発明は、このような問題に鑑み、移動局の電源ＯＮ、かつ、ローミングを要する状況で、容易かつ確実にローミングリストを更新し、正常にローミングサービスを受けることが可能な、移動局および無線通信方法を提供することを目的としている。
【課題を解決するための手段】
【０００９】
上記課題を解決するために、本発明にかかる移動局の代表的な構成は、基地局と無線通信を確立する無線通信部と、特定の移動体通信網以外の移動体通信網へのローミングに際して参照されるローミングリストを記憶する記憶部と、ローミングリストを用いて自局が無線通信可能な移動体通信網を選択する通信網選択部と、当該移動局を起動した際、無線通信部を通じてローミングリストの更新要求を行い、ローミングリストが変更されていれば、自局のローミングリストを更新する更新部と、を備えることを特徴とする。更新部は、当該移動局の起動時における特に位置登録の際に上記のように自局のローミングリストを更新してもよい。
【００１０】
本発明では、移動局の起動時、即ち、電源投入の際における初回の位置登録と併せてローミングリストを更新する。かかる構成により、ＢＣＭＣＳによる自動更新の際、電源ＯＦＦによりローミングリストの更新が為されなかったとしても、ユーザの手動操作を伴うことなく、移動局の利用時には容易かつ確実に最新のローミングリストに更新することが可能となる。
【００１１】
本発明にかかる移動局の代表的な他の構成は、基地局と無線通信を確立する無線通信部と、特定の移動体通信網以外の移動体通信網へのローミングに際して参照されるローミングリストを記憶する記憶部と、ローミングリストを用いて自局が無線通信可能な移動体通信網を選択する通信網選択部と、自局の位置を検出する位置検出部と、自局の位置が予め定められた所定領域内にあることが検出された場合、無線通信部を通じてローミングリストの更新要求を行い、ローミングリストが変更されていれば、自局のローミングリストを更新する更新部と、を備えることを特徴とする。
【００１２】
本発明では、移動局が空港、港、駅、国境といった所定領域内にあることをＧＰＳ等の位置検出部を通じて検出し、ローミングリストを更新する。かかる構成により、何らかの事情により、ＢＣＭＣＳによる自動更新を受けられなかったとしても、ローミングを要する地域への通過点である上記所定領域を通過するだけで、ユーザの手動操作を伴うことなく容易かつ確実に最新のローミングリストに更新することが可能となる。
【００１３】
本発明にかかる移動局の代表的な他の構成は、基地局と無線通信を確立する無線通信部と、特定の移動体通信網以外の移動体通信網へのローミングに際して参照されるローミングリストを記憶する記憶部と、ローミングリストを用いて自局が無線通信可能な移動体通信網を選択する通信網選択部と、当該移動体通信網以外の無線通信からのローミングリスト更新指令に応じ、無線通信部を通じてローミングリストを更新する更新部と、を備えることを特徴とする。
【００１４】
本発明では、空港、港、駅、国境といった所定施設に存在する移動局に対して、当該移動体通信網以外の無線通信を通じたローミングリスト更新指令によってローミングの強制更新をかける。かかる構成により、何らかの事情により、ＢＣＭＣＳによる自動更新を受けられなかったとしても、ローミングを要する地域への通過点である上記所定施設を通過するだけで、ユーザの手動操作を伴うことなく容易かつ確実に最新のローミングリストに更新することが可能となる。
【００１５】
本発明にかかる移動局の代表的な他の構成は、基地局と無線通信を確立する無線通信部と、特定の移動体通信網以外の移動体通信網へのローミングに際して参照されるローミングリストを記憶する記憶部と、記ローミングリストを用いて自局が無線通信可能な移動体通信網を選択する通信網選択部と、ユーザによるオフラインモード変更入力に応じて、無線通信部を通じてローミングリストの更新要求を行い、ローミングリストが変更されていれば、自局のローミングリストを更新する更新部と、を備えることを特徴とする。
【００１６】
本発明では、特に空港等のオフラインモード（通信不能にするモード）への変更が強いられる状況において、そのオフラインモードの変更入力を契機にローミングリストを更新する。かかる構成により、何らかの事情により、ＢＣＭＣＳによる自動更新を受けられなかったとしても、ローミングを要する飛行機等への搭乗または降機において、ユーザの手動操作を伴うことなく容易かつ確実に最新のローミングリストに更新することが可能となる。
【００１７】
本発明の代表的な他の構成は、特定の移動体通信網以外の移動体通信網へのローミングを要する地域への通過点において、基地局と無線通信を確立する無線通信部を通じて、基地局にローミングに際して参照されるローミングリストの更新要求を行い、ローミングリストが変更されていれば、自局のローミングリストを更新し、更新されたローミングリストを記憶し、ローミングの際、記憶されたローミングリストを用いて自局が無線通信可能な移動体通信網を選択することを特徴とする。
【００１８】
上述した移動局の技術的思想に基づく構成要素やその説明は、当該無線通信方法にも適用可能である。
【発明の効果】
【００１９】
以上説明したように本発明によれば、移動局の電源ＯＮ、かつ、ローミングを要する状況で、容易かつ確実にローミングリストを更新し、正常にローミングサービスを受けることが可能となる。
【発明を実施するための最良の形態】
【００２０】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２１】
（移動体通信網１００）
図１は、移動体通信網１００の概略的な接続関係を示した説明図である。当該移動体通信網１００は、移動局１１０と、移動局１１０との無線通信を確立する基地局１２０と、基地局１２０に接続されＩＳＤＮ(Integrated Services Digital Network)回線、インターネット、専用回線等で構成される通信網１３０と、通信網１３０を通じて各基地局１２０を中継する中継サーバ１４０と、ＰＲＬ配信サーバ１５０とを含んで構成される。また、移動体通信網１００は、通信網１３０を介して、異なる通信事業者が運営する他の移動体通信網１０２とも接続されている。かかる移動体通信網１０２も、移動体通信網１００と同様、移動局１１０、基地局１２０、通信網１３０、中継サーバ１４０、ＰＲＬ配信サーバ１５０を含んで構成される。
【００２２】
移動体通信網１００、１０２それぞれにおいて、移動局１１０は、基地局１２０との無線通信および中継サーバ１４０による通信接続を通じて他の移動局との通話や通信を実行し、また、通信網１３０を介して接続される各サービス事業者のＷｅｂサーバ（図示せず）から様々なサービスを受けることができる。
【００２３】
本実施形態では、ローミングを実行時、例えば、移動局１１０が移動体通信網１００から移動体通信網１０２に移動する際、移動先の移動体通信網１０２を特定し、その移動体通信網１０２と無線通信を確立するための情報であるローミングリスト（Preferred Roaming List、以下単にＰＲＬという。）を、移動体通信網１００を経由して、ＰＲＬ配信サーバ１５０から取得する。かかるＰＲＬには、技術的に通信可能でありかつ契約上通信が許容されている複数の移動体通信網がリスト化されている。ＰＲＬの仕様は、ＩＳ−６８３規格で定められており、移動体通信網の識別子、チャネル番号、およびその優先度等が関連付けて格納されている。
【００２４】
移動局１１０は、かかるＰＲＬに基づいて、まず、自己が契約している特定の通信事業者の移動体通信網１００を捕捉し、捕捉した移動体通信網１００の通信方式に従って通信を確立する。そして、他の移動体通信網１０２に移動したことにより、通信していた移動体通信網１００の基地局１２０を見失うと、移動局１１０は、ＰＲＬのチャネルを選択して、チャネルに関連付けられた移動体通信網１０２との通信確立を試みる。
【００２５】
こうして、自己が契約する特定の通信事業者以外の通信事業者の移動体通信網１０２であっても、自己が契約する特定の通信事業者の移動体通信網１００と同様のサービスを受けることができる。以下では、容易かつ確実なＰＲＬの更新により正常なローミングサービスを受けることが可能な移動局１１０の具体的な構成を述べ、その後、移動局１１０の無線通信方法を詳述する。
【００２６】
（移動局１１０）
図２は、移動局１１０のハードウェア構成を示した機能ブロック図であり、図３は、移動局１１０の外観を示した斜視図である。移動局１１０は、移動局制御部２１０と、移動局メモリ２１２と、表示部２１４と、操作部２１６と、位置検出部２１８と、音声入力部２２０と、音声出力部２２２と、無線通信部２２４とを含んで構成される。
【００２７】
かかる移動局１１０としては、携帯電話、ＰＨＳ端末等の携帯通信端末の他に、今後移動体通信網１００への無線接続機能の搭載が期待されるノート型パーソナルコンピュータ、ＰＤＡ（Personal Digital Assistant）、デジタルカメラ、音楽プレイヤー、カーナビゲーション、ゲーム機器、ＤＶＤプレイヤー等様々な電子機器を用いることができる。
【００２８】
移動局制御部２１０は、中央処理装置（ＣＰＵ）を含む半導体集積回路により移動局１１０全体を管理および制御し、移動局メモリ２１２のプログラムを用いて、通話機能、メール送受信機能、撮像機能、音楽再生機能、ＴＶ視聴機能も遂行する。
【００２９】
移動局メモリ２１２は、ＲＯＭ、ＲＡＭ、ＥＥＰＲＯＭ、不揮発性ＲＡＭ、フラッシュメモリ、ＨＤＤ等で構成され、移動局制御部２１０で処理されるプログラムや通信データ等を記憶する。また、移動局メモリ２１２は、契約している特定の移動体通信網１００以外の移動体通信網へのローミング時に参照されるＰＲＬを記憶する記憶部２３０としても機能する。
【００３０】
表示部２１４は、液晶ディスプレイ（ＬＣＤ：Liquid Crystal Display）、ＥＬ(Electro Luminescence)等で構成され、移動局メモリ２１２に記憶された、または通信網１３０を介してＷｅｂサーバから提供される、Ｗｅｂコンテンツ、アプリケーションのＧＵＩ（Graphical User Interface）等を表示することができる。また、後述する更新部２３４において、ＰＲＬの更新が行われる間、そのＰＲＬ更新の内容や進捗度等の更新状況を表示したり、ＰＲＬの更新が完了したときにその旨表示したりすることができる。ユーザはかかるＰＲＬ更新の表示を視認して、以後ローミングを正常に遂行できる安心感を得ることができる。
【００３１】
操作部２１６は、キーボード、十字キー、ジョイスティック等の複数の操作キーで構成され、ユーザの操作入力を受け付ける。
【００３２】
位置検出部２１８は、ＧＰＳ（Global Positioning System）による測位法や基地局１２０からの三点測位法等既存の様々な方法を用いて移動局１１０の絶対位置を計算する。ここで、三点測位法は、３以上の基地局１２０の絶対位置と、送受信する電波の伝播遅延により導出される基地局１２０との距離とから、自局の絶対位置を計算する方法である。
【００３３】
音声入力部２２０は、マイク等の音声認識手段で構成され、通話時に入力されたユーザの音声を移動局１１０内で処理可能な電気信号に変換する。音声出力部２２２は、スピーカで構成され、移動局１１０で受信した通話相手の音声信号を音声に変えて出力する。また、着信音や、操作部２１６の操作音、アラーム音等も出力できる。
【００３４】
無線通信部２２４は、ＣＤＭＡ（Code Division Multiple Access）やＷｉＭＡＸ（Worldwide Interoperability for Microwave Access）等の無線通信方式を通じて基地局１２０との無線通信を確立し、通信相手との音声通信やＷｅｂサーバとのデータ通信を遂行する。無線通信部２２４は、他の端末からの着呼を受信するため周囲にある複数の基地局１２０からなる基地局群に自局の位置を登録する位置登録も実行する。かかる位置登録は、隣接した基地局群への移動や、通信可能範囲外から範囲内への移動時に遂行される。
【００３５】
また、移動局制御部２１０は、通信網選択部２３２や更新部２３４としても機能する。
【００３６】
通信網選択部２３２は、記憶部２３０に記憶されているＰＲＬを用いて、自局が無線通信可能な移動体通信網を選択する。
【００３７】
更新部２３４は、無線通信部２２４を通じてＰＲＬの更新要求を行い、ＰＲＬが変更されていれば、新たなＰＲＬをダウンロードして、自局の記憶部２３０のＰＲＬを更新する。ＰＲＬの変更の有無は、そのＰＲＬに付されたバージョン情報等により認識することができる。
【００３８】
図４は、更新部２３４によるＰＲＬの更新の様子を示した説明図である。図４（ａ）に示すように、ＰＲＬはチャネルと移動体通信網とについてそれぞれを特定するパラメータが格納され、チャネルＩｎｄｅｘによって関連付けられる。また、ＰＲＬ配信サーバ１５０においてＰＲＬの変更が確認されると、例えば、図４（ｂ）の斜線で示した新たな移動体通信網が追加されたＰＲＬがダウンロードされ、自局のＰＲＬと置き換えられる。
【００３９】
ところで、移動局１１０の位置登録時には少なくとも電源が投入されていることとなり、その位置登録といった機会を利用してＰＲＬの自動更新を実行するのが好ましい。しかし、ＰＲＬの自動更新は、その頻度が高いほど確実性が高くなるものの、弱電界エリアにおいて圏外エリアと圏内エリアとの間の移動が頻発するとＰＲＬの自動更新が頻繁に行われてしまう可能性がある。そこで、本実施形態では、移動局の起動時、即ち、電源投入の際における初回の位置登録と併せてＰＲＬを更新する。
【００４０】
かかる構成により、ＢＣＭＣＳによる自動更新の際、電源ＯＦＦによりＰＲＬの更新が為されなかったとしても、ユーザの手動操作を伴うことなく、移動局の利用時には容易かつ確実に最新のＰＲＬに更新することが可能となる。
【００４１】
また、更新部２３４は、位置検出部２１８による自局の位置が、自局が有する位置テーブル等に予め定められた所定領域内にあることが検出された場合、無線通信部２２４を通じてＰＲＬの更新要求を行い、ＰＲＬが変更されていれば、自局のＰＲＬを更新する。
【００４２】
図５は、位置検出部２１８と更新部２３４の動作を説明するための説明図である。移動局１１０の位置検出部２１８は、ＧＰＳを通じて常時自局の位置を把握しており、例えば、矢印に示したように移動局１１０が空港２５０周囲の所定領域２５２に入ると、その旨更新部２３４に伝達し、更新部２３４は、自局のＰＲＬの更新処理を遂行する。
【００４３】
本実施形態では、移動局１１０が空港、港、駅、国境といった所定領域内にあることを位置検出部２１８を通じて検出し、ＰＲＬを更新する。かかる構成により、何らかの事情により、ＢＣＭＣＳによる自動更新を受けられなかったとしても、ローミングを要する地域への通過点である所定領域を通過するだけで、ユーザの手動操作を伴うことなく容易かつ確実に最新のＰＲＬに更新することが可能となる。
【００４４】
また、更新部２３４は、当該移動体通信網１００以外の無線通信からのＰＲＬ更新指令に応じ、無線通信部２２４を通じてＰＲＬを更新する。かかる当該移動体通信網１００以外の無線通信としては、例えば、Ｂｌｕｅｔｏｏｔｈ、ＺｉｇＢｅｅ、無線ＬＡＮ、赤外線通信、近距離無線通信（ＮＦＣ）等がある。
【００４５】
図６は、他の無線通信を通じたＰＲＬ更新を説明するための説明図である。空港２５０等の所定施設に移動局１１０を有するユーザが進入すると、例えば、Ｂｌｕｅｔｏｏｔｈのアクセスポイント２６０の通信可能範囲においてアクセスポイント２６０から移動局１１０に、強制的にＰＲＬの更新を実行させるＰＲＬ更新指令が発せられる（１）。かかるＰＲＬ更新指令を受けて移動局１１０は、ＰＲＬ配信サーバ１５０に対してＰＲＬの更新要求を行い（２）、ＰＲＬ配信サーバ１５０からのＰＲＬによって自局のＰＲＬを更新する（３）。
【００４６】
上述した無線通信は、近年特に需要が増え、ペーパーレスの識別システムとして一層重要視されている。従って、空港、港、駅、国境といった所定施設に設置されたこのような無線通信を応用してＰＲＬの更新を推進することで、ユーザの手動操作を伴うことなく容易かつ確実に最新のＰＲＬに更新することが可能となる。
【００４７】
また、ここでは、他の無線通信からの指令を契機に本来の移動体通信網１００からＰＲＬを取得しているが、かかる場合に限らず、他の無線通信から直接ＰＲＬを取得することも可能である。
【００４８】
このように、本実施形態においては、ユーザは、空港２５０等の所定領域に入るだけでＰＲＬの更新サービスを受けることができるが、移動局側ではその更新の時間等を制御することができないので、自局が他の無線通信の通信可能範囲に存在している限り、かかるＰＲＬ更新指令を継続的に受けることとなる。即ち、最新のＰＲＬに既に更新されていたとしても、更新所定時間（例えば、３０分）毎に更新処理を実行しなければならない。
【００４９】
そこで、ＰＲＬ配信サーバ１５０におけるＰＲＬの変更時刻が予め分かっている場合には、空港２５０等で１度でも更新処理を実行した後は、上記変更時刻を跨らない限り、同一の無線通信、または同一の所定領域内において再度の更新処理を実行しないとすることができる。また、一度更新された後は、タイマー等を用いて、所定時間、例えば、２時間新たな更新処理を実行しないとすることもできる。
【００５０】
また、更新部２３４は、ユーザによるオフラインモード（通信不能にするモード）変更入力に応じ、無線通信部２２４を通じてＰＲＬの更新要求を行い、ＰＲＬが変更されていれば、自局のＰＲＬを更新する。そして、ＰＲＬのダウンロードが完了した後にオフラインモードの切換を実行する。
【００５１】
飛行機の搭乗等、電源ＯＦＦが義務づけられている状況において、そのオフラインモードの変更入力を契機にＰＲＬを更新する。かかる構成により、何らかの事情により、ＢＣＭＣＳによる自動更新を受けられなかったとしても、ローミングを要する飛行機等への搭乗または降機において、ユーザの手動操作を伴うことなく容易かつ確実に最新のＰＲＬに更新することが可能となる。
【００５２】
（無線通信方法）
次に、移動体通信網間のローミングを実行するためＰＲＬを自動更新する無線通信方法を説明する。
【００５３】
図７は、無線通信方法の処理の流れを示したフローチャートである。ユーザが、契約している特定の移動体通信網１００以外の移動体通信網へのローミングを要する地域への通過点、例えば、空港、港、駅、国境といった施設に移動すると（Ｓ３００）、そこに位置することによる何らかの契機、例えば、位置合致、所定の無線通信の通信可能範囲内進入、オフラインモード切換等を通じて、移動局１１０の無線通信部２２４は、基地局１２０と無線通信を確立し、ＰＲＬ配信サーバ１５０にＰＲＬの更新要求を行う（Ｓ３０２）。
【００５４】
そして、ＰＲＬ配信サーバ１５０においてＰＲＬが変更されていれば（Ｓ３０４）、自局のＰＲＬを更新し（Ｓ３０６）、そのＰＲＬを記憶部２３０に記憶する（Ｓ３０８）。移動局１１０は、それ以降にローミングを要する地域に移動すると、記憶部２３０に記憶されたＰＲＬを用いて自局が無線通信可能な移動体通信網を選択する（Ｓ３１０）。
【００５５】
かかる無線通信方法によっても、移動局の電源ＯＮ、かつ、ローミングを要する状況で、容易かつ確実にローミングリストを更新し、正常にローミングサービスを受けることが可能となる。
【００５６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００５７】
例えば、上述した実施形態においては、電源投入、位置合致、所定の無線通信の通信可能範囲内進入、オフラインモード切換の各契機全てに対応してＰＲＬを更新しているが、上記の群から選択された１または２以上の契機にのみＰＲＬを更新することもできる。また、かかるＰＲＬ更新の契機は、ユーザが個別に設定することも可能である。
【００５８】
なお、本明細書の無線通信方法における各工程は、必ずしもフローチャートとして記載された順序に沿って時系列に処理する必要はなく、並列的あるいはサブルーチンによる処理を含んでもよい。
【産業上の利用可能性】
【００５９】
本発明は、移動体通信網間のローミングが可能な移動局および無線通信方法に利用することができる。
【図面の簡単な説明】
【００６０】
【図１】移動体通信網の概略的な接続関係を示した説明図である。
【図２】移動局のハードウェア構成を示した機能ブロック図である。
【図３】移動局の外観を示した斜視図である。
【図４】更新部によるＰＲＬの更新の様子を示した説明図である。
【図５】位置検出部と更新部の動作を説明するための説明図である。
【図６】他の無線通信を通じたＰＲＬ更新を説明するための説明図である。
【図７】無線通信方法の処理の流れを示したフローチャートである。
【符号の説明】
【００６１】
１００  …移動体通信網
１１０  …移動局
１５０  …ＰＲＬ配信サーバ
２１８  …位置検出部
２２４  …無線通信部
２３０  …記憶部
２３２  …通信網選択部
２３４  …更新部
【図１】
2010011020.tif 000003
【図２】
2010011020.tif 000004
【図３】
2010011020.tif 000005
【図４】
2010011020.tif 000006
【図５】
2010011020.tif 000007
【図６】
2010011020.tif 000008
【図７】
2010011020.tif 000009